(57)【要約】【課題】適切な状態で感光ドラムの寿命を判定することができる画像形成装置を提供する。【解決手段】プリンタ１は、感光ドラム２７を有する画像形成部５と、感光ドラム２７の回転数をカウントするドラムカウンタ５０と、ドラムカウンタ５０がカウントした感光ドラム２７の回転数が感光ドラム寿命値に達した場合に、感光ドラム２７が寿命であると判定する寿命判定手段５２と、画像形成部によって形成された画像の平均印字率を判定する印字率判定手段５４と、を備える。また、平均印字率が所定の閾値（例えば、５％）より小さい場合の感光ドラム寿命値は、平均印字率が閾値（例えば、５％）より大きい場合の感光ドラム寿命値より小さい。【選択図】        図４
2013050601.tif 000002
【特許請求の範囲】
【請求項１】
感光ドラムを有する画像形成部と、
前記感光ドラムの回転数をカウントするドラムカウンタと、
前記ドラムカウンタがカウントした前記感光ドラムの回転数が感光ドラム寿命値に達した場合に、前記感光ドラムが寿命であると判定する寿命判定手段と、
前記画像形成部によって形成された画像の平均印字率を判定する印字率判定手段と、を備え、
前記平均印字率が所定の閾値より小さい場合の前記感光ドラム寿命値は、前記平均印字率が前記閾値より大きい場合の前記感光ドラム寿命値より小さいことを特徴とする、画像形成装置。
【請求項２】
前記寿命判定手段は、
前記ドラムカウンタがカウントした前記感光ドラムの回転数が、前記感光ドラム寿命値よりも小さい所定値に達したか否かを判断し、
前記感光ドラムの回転数が所定値に達した際に、前記印字率判定手段が判定した平均印字率に応じて前記感光ドラム寿命値を設定することを特徴とする、請求項１に記載の画像形成装置。
【請求項３】
トナー消費量を推定するトナー消費量推定手段を備え、
前記印字率判定手段は、前記ドラムカウンタが所定値をカウントしたときまでに前記トナー消費量推定手段が推定したトナー消費量によって、前記平均印字率を判定することを特徴とする、請求項２に記載の画像形成装置。
【請求項４】
前記トナー消費量推定手段は、形成される画像のドット数をカウントするドットカウンタであり、
前記印字率判定手段は、前記ドラムカウンタが所定値をカウントしたときまでにドットカウンタがカウントした累積ドット数によって、前記平均印字率を判定することを特徴とする、請求項３に記載の画像形成装置。
【請求項５】
前記感光ドラムを支持するドラムカートリッジと、
トナーを収容するトナー収容部を有し、前記ドラムカートリッジに着脱可能な現像カートリッジと、を備え、
前記印字率判定手段は、前記現像カートリッジを所定回数交換したときまでに前記ドラムカウンタがカウントした回転数によって、前記平均印字率を判定することを特徴とする請求項１に記載の画像形成装置。
【請求項６】
感光ドラムを有する画像形成部と、
前記画像形成部によって画像形成された用紙の枚数をカウントするページカウンタと、
前記ページカウンタがカウントした用紙の枚数が感光ドラム寿命値に達した場合に、前記感光ドラムが寿命であると判定する寿命判定手段と、
前記画像形成部によって形成された画像の平均印字率を判定する印字率判定手段と、を備え、
前記平均印字率が所定の閾値より小さい場合の前記感光ドラム寿命値は、前記平均印字率が前記閾値より大きい場合の前記感光ドラム寿命値より小さいことを特徴とする、画像形成装置。
【発明の詳細な説明】
【技術分野】
【０００１】
本発明は、画像形成装置に関する。
【背景技術】
【０００２】
一般に、電子写真方式の画像形成装置には、現像剤を収容したカートリッジを着脱可能に備え、カートリッジ内の現像剤を、現像ローラから静電潜像が形成された感光ドラムに供給して用紙に画像を形成するものが知られている。
【０００３】
このような画像形成装置において、感光ドラムは、その回転数の増加に応じて、徐々に劣化していく。そこで、このような画像形成装置では、感光ドラムの回転数があらかじめ設定された閾値に達した場合に感光ドラムが寿命であると判定する構成が採用されることがある（特許文献１）。
【先行技術文献】
【特許文献】
【０００４】
【特許文献１】特開平８−１８５０９４
【発明の概要】
【発明が解決しようとする課題】
【０００５】
しかしながら、感光ドラムの劣化の進み具合は、感光ドラムの回転数だけでなく、印字率にも関係している。具体的には、低印字率で画像形成が続くと、現像ローラ上に保持されたトナーのうち、感光ドラム上の静電潜像現像に使われる量が少ないために、トナーの入れ替わりが少なくなる。その結果、感光ドラムの周面にトナーが固着するトナーフィルミングが悪化し、感光ドラムの劣化が進行する。一方、高印字率で画像形成を続ける場合は、低印字率で画像形成を続ける場合よりも、トナーフィルミングが目立たないため、感光ドラムの劣化が遅い。すなわち、感光ドラムの劣化の進み具合は、印字率にも影響される。
【０００６】
そこで、本発明は、適切な状態で感光ドラムの寿命を判定することができる画像形成装置を提供することを目的とする。
【課題を解決するための手段】
【０００７】
（１）前記した目的を達成するために、感光ドラムを有する画像形成部と、感光ドラムの回転数をカウントするドラムカウンタと、ドラムカウンタがカウントした感光ドラムの回転数が感光ドラム寿命値に達した場合に、感光ドラムが寿命であると判定する寿命判定手段と、画像形成部によって形成された画像の平均印字率を判定する印字率判定手段と、を備える。
【０００８】
平均印字率が所定の閾値より小さい場合の感光ドラム寿命値は、平均印字率が閾値より大きい場合の感光ドラム寿命値より小さいことを特徴とする。
【０００９】
これによれば、感光ドラムの寿命を平均印字率によって変更しているため、感光ドラムの回転数のみで寿命を判断する場合より正確に感光ドラムの寿命を判定することが出来る。
【００１０】
（２）寿命判定手段は、ドラムカウンタがカウントした感光ドラムの回転数が、感光ドラム寿命値よりも小さい所定値に達したか否かを判断し、感光ドラムの回転数が所定値に達した際に、印字率判定手段が判定した平均印字率に応じて感光ドラム寿命値を設定することが好ましい。
【００１１】
（３）トナー消費量を推定するトナー消費量推定手段を備え、印字率判定手段は、ドラムカウンタが所定値をカウントしたときまでにトナー消費量推定手段が推定したトナー消費量によって、平均印字率を判定することが好ましい。
【００１２】
（４）トナー消費量推定手段は、形成される画像のドット数をカウントするドットカウンタであり、印字率判定手段は、ドラムカウンタが所定値をカウントするまでにドットカウンタがカウントした累積ドット数によって、平均印字率を判定することが好ましい。
【００１３】
これによれば、ドットカウンタはトナー消費に直結した情報なので、平均印字率を判定するものとして好適である。
【００１４】
（５）感光ドラムを支持するドラムカートリッジと、トナーを収容するトナー収容部を有し、ドラムカートリッジに着脱可能な現像カートリッジと、を備え、印字率判定手段は、現像カートリッジを所定回数交換したときまでにドラムカウンタがカウントした回転数によって、平均印字率を判定することが好ましい。
【００１５】
（６）感光ドラムを有する画像形成部と、画像形成部によって画像形成された用紙の枚数をカウントするページカウンタと、ページカウンタがカウントした用紙の枚数が感光ドラム寿命値に達した場合に、感光ドラムが寿命であると判定する寿命判定手段と、画像形成部によって形成された画像の平均印字率を判定する印字率判定手段と、を備え、平均印字率が所定の閾値より小さい場合の感光ドラム寿命値は、平均印字率が閾値より大きい場合の感光ドラム寿命値より小さいことが好ましい。
【発明の効果】
【００１６】
本発明によれば、適切な状態で感光ドラムの寿命を判定することができる。
【図面の簡単な説明】
【００１７】
【図１】画像形成装置の一例としてのプリンタの一実施例を示す断面図である。
【図２】プロセスカートリッジの断面図である。
【図３】プリンタのブロック図である。
【図４】感光ドラムの寿命判定制御のフローチャートである。（実施例１）
【図５】感光ドラムの寿命判定制御のフローチャートである。（実施例２）
【発明を実施するための形態】
【００１８】
１．レーザプリンタの全体構成
次に、本発明について、適宜図面を参照しながら詳細に説明する。
【００１９】
画像形成装置の一例としてのプリンタ１は、図１に示すように、装置本体２内に用紙３を給紙するための給紙部４と、用紙３に画像を形成するための画像形成部５と、プリンタ１の各動作を制御する制御部１００とを備えている。
【００２０】
給紙部４は、装置本体２内の下部に着脱可能に装着される給紙トレイ６と、給紙トレイ６内に設けられた用紙押圧板７と、用紙３の搬送などを行う各種ローラ１１とを備えている。給紙トレイ６内に収容された用紙３は、用紙押圧板７によって上方に寄せられ、各種ローラ１１によって画像形成部５に搬送される。
【００２１】
画像形成部５は、スキャナユニット１６と、プロセスカートリッジ１７と、定着部１８とを備えている。
【００２２】
スキャナユニット１６は、装置本体２内の上部に設けられ、画像データに基づくレーザ光が、ポリゴンミラー１９、レンズ２０，２１、反射鏡２２，２３，２４などを通って（２点鎖線参照）、感光ドラム２７の表面上に高速走査にて照射される。
【００２３】
プロセスカートリッジ１７は、装置本体２の手前側に設けられたフロントカバー２Ａを開くことで、装置本体２に対して着脱自在に装着される構造となっている。そして、このプロセスカートリッジ１７は、現像カートリッジ２８と、ドラムカートリッジ３９とで主に構成されている。
【００２４】
現像カートリッジ２８は、ドラムカートリッジ３９に装着された状態で、装置本体２に対して着脱自在となっている。なお、現像カートリッジ２８は、装置本体２に固定されたドラムカートリッジ３９に対して着脱自在に構成されていてもよい。
【００２５】
現像カートリッジ２８は、図２に示すように、現像フレーム５０と、現像ローラ３１と、層厚規制ブレード３２と、供給ローラ３３とを備え、現像フレーム５０にはトナー収容部３４が形成されている。
【００２６】
現像カートリッジ２８では、トナー収容部３４内のトナーが、アジテータ３４Ａで撹拌された後、供給ローラ３３により現像ローラ３１に供給され、このとき、供給ローラ３３と現像ローラ３１との間で正に摩擦帯電される。現像ローラ３１上に供給されたトナーは、現像ローラ３１の回転に伴って、層厚規制ブレード３２と現像ローラ３１との間に進入し、さらに摩擦帯電されつつ、一定の厚さの薄層として現像ローラ３１上に担持される。また、現像カートリッジ２８は、トナー収容部３４内のトナーが全量消費された際に、ドラムカートリッジ３９から取り外して、新しい現像カートリッジ２８と交換する。
【００２７】
ドラムカートリッジ３９は、感光ドラム２７と、スコロトロン型帯電器２９と、転写ローラ３０とを備えている。そして、このドラムカートリッジ３９内において、感光ドラム２７の表面は、スコロトロン型帯電器２９により一様に正帯電された後、スキャナユニット１６からのレーザ光の高速走査により露光される。これにより、露光された部分の電位が下がって、画像データに基づく静電潜像が形成される。
【００２８】
次いで、現像ローラ３１の回転により、現像ローラ３１の表面に担持されている正帯電されたトナーが、感光ドラム２７の表面上に形成された静電潜像に供給されて、感光ドラム２７の表面上にトナー像が形成される。その後、感光ドラム２７と転写ローラ３０の間で用紙３が搬送されることで、感光ドラム２７の表面に担持されているトナー像が用紙３上に転写される。
【００２９】
定着部１８は、図１に示すように、加熱ローラ４１と、加熱ローラ４１を加圧する加圧ローラ４２とを備えている。そして、定着部１８では、用紙３上に転写されたトナーを、用紙３が加熱ローラ４１と加圧ローラ４２との間を通過する間に熱定着させている。なお、定着部１８で熱定着された用紙３は、定着部１８の下流側に配設される排紙ローラ４５に搬送され、この排紙ローラ４５から排紙トレイ４６上に送り出される。
【００３０】
制御部１００は、図示しないＣＰＵ，ＲＡＭ，ＲＯＭなどを有しており、装置本体２内の適宜な位置に配置されている。制御部１００は、入力された画像データや各種の指示、ＲＯＭに記録されたプログラムやデータなどに基づいて、転写ローラ３０、スコロトロン型帯電器２９および現像ローラ３１等に印加する電圧などを制御してレーザプリンタ１全体の動作を制御する。
【００３１】
２．感光ドラムの寿命判定の電気的構成
次に、感光ドラム２７の寿命を判定するための電気的構成について説明する。
【００３２】
制御部１００は、図３に示すように、ドラムカウンタ５０と、トナー消費量推定手段５１と、寿命判定手段５２と、印字率判定手段５４とを備えている。また、制御部１００は、報知部５５と接続されている。
【００３３】
ドラムカウンタ５０は、感光ドラム２７の回転数をカウントする。ドラムカウンタ５０は、ドラムカートリッジ３９を交換したときからの感光ドラム２７の回転数をカウントして積算する。ドラムカウンタ５０は、カウントした回転数を寿命判定手段５２および印字率判定手段５４に出力する。
【００３４】
トナー消費量推定手段５１は、印字により消費されたトナーの量を推定する。トナー消費量推定手段５１は、ドラムカートリッジ３９を交換したときからのトナー消費量を積算する。トナー消費量推定手段５１は、推定したトナー消費量を印字率判定手段５４に出力する。
【００３５】
印字率判定手段５４は、平均印字率を求める手段である。
【００３６】
寿命判定手段５２は、印字率判定手段５４が判定した平均印字率に応じて、感光ドラム寿命値を設定する手段である。平均印字率が閾値（例えば、５％）より大きい場合の感光ドラム寿命値を第１の回転数とし、平均印字率が閾値（例えば５％）より小さい場合の感光ドラム寿命値を第２の回転数とすると、第１の回転数は、第２の回転数よりも大きく設定される。より具体的には、第１の回転数を１２００００回とし、第２の回転数を１０８０００回とする。
【００３７】
また、寿命判定手段５２は、ドラムカウンタ５１のカウントした値が感光ドラム寿命値に達したかどうかを判定する。例えば、寿命判定手段５２により、感光ドラム寿命値が第２の回転数（例えば、１０８０００回）に設定された場合、ドラムカウンタ５０が１０８０００回をカウントした時点で、感光ドラム２７が寿命であると判定する。そして、感光ドラム２７が寿命であるという旨を報知部５５に出力する。
【００３８】
報知部５５は、プリンタ１を使用するユーザに対してメッセージを報知するものである。報知部５５は、感光ドラム２７が寿命になり、ドラムカートリッジ３９が交換時期であると判定された場合、その旨のメッセージをユーザに対して報知する。このような報知部５５としては、例えば、文字や絵などでメッセージを報知する液晶ディスプレイや、音でメッセージを報知するスピーカ、光の点滅でメッセージを報知するランプなどを採用することができる。
【００３９】
３．感光ドラムの寿命判定の制御
次に、感光ドラム２７の寿命判定の具体的な制御方法について、２つの実施例を説明する。
【００４０】
＜実施例１＞
実施例１では、トナー消費量推定手段５１として、ドットカウンタ５１を用いる。
【００４１】
ドットカウンタ５１は、用紙に印字されるドット数をカウントする。ドットカウンタ５１は、ドラムカートリッジ３９を交換したときからドラムカウンタ５０が所定値(例えば、９６０００回)をカウントしたときまでのドット数をカウントして積算する。ドットカウンタ５１は、現像カートリッジ２８内のトナーが消費され、現像カートリッジ２８が交換された際も、リセットされない。具体的なドットカウンタ５１のカウント方法としては、パソコンなどから送信された画像データに含まれるスキャナユニット１６のレーザ光源を明減させるための情報に基づいてドット数をカウントする。ドットカウンタ５１は、カウントしたドット数を印字率判定手段５４に出力する。
【００４２】
また、寿命判定手段５２は、ドラムカウンタ５０のカウントした感光ドラム２７の回転数が、所定値（例えば、９６０００回）に達したか判断する。ここで、所定値は、感光ドラム寿命値より小さく設定されている。そして、寿命判定手段５２が、ドラムカウンタ５０のカウントした感光ドラム２７の回転数が所定値（例えば、９６０００回）に達したと判断した際に、印字率判定手段５４は、ドットカウンタ５１がカウントした累積ドットカウント数によって、平均印字率を求める。より具体的には、感光ドラム２７が所定値（９６０００回）回転したときまでの全ての画像が、ベタ印字である場合を平均印字率１００％とし、このときの累積ドット数３０２５００００ドットを基準に平均印字率を求める。例えば、ドットカウンタ５１がカウントした累積ドットカウント数が１５１２５００ドットの場合、平均印字率５％となる。
【００４３】
次に、感光ドラム２７の寿命判定の制御について、図４のフローチャートを用いて説明する。
【００４４】
プリンタ１は、パソコンから印字ジョブを受信すると、印字を開始する（Ｓ１０１）。次に、寿命判定手段５２は、ドラムカウンタ５０がカウントした感光ドラム２７の総回転数が所定値（例えば、９６０００回）に達したか否か判断する（Ｓ１０２）。そして、感光ドラム２７の総回転数が所定値に達していない場合（Ｓ１０２、Ｎｏ）、Ｓ１０１に戻り、印字を続ける。また、感光ドラム２７の総回転数が所定値に達した場合（Ｓ１０２、Ｙｅｓ）、印字率判定手段５４は、平均印字率を判定する（Ｓ１０３）。次に、Ｓ１０３で計算した平均印字率が閾値（例えば、５％）以上であるか否かを判定する（Ｓ１０４）。そして、平均印字率が閾値（例えば、５％）以上である場合、寿命判定手段５２は、第１の回転数（例えば、１２００００回）を感光ドラム寿命値に設定する。また、平均印字率が閾値（例えば、５％）より小さい場合、寿命判定手段５２は、第２の回転数（例えば、１０８０００回）を感光ドラム寿命値に設定する。そして、再び、印字を続ける（Ｓ１０７）。次に、寿命判定手段５２は、ドラムカウンタ５０に記録された感光ドラム２７の総回転数が、Ｓ１０５、Ｓ１０６において設定された感光ドラム寿命値に達したか否か判断する（Ｓ１０８）。そして、感光ドラム２７の総回転数が感光ドラム寿命値に達していない場合（Ｓ１０８、Ｎｏ）、Ｓ１０７に戻り、印字を続ける。また、感光ドラム２７の総回転数が感光ドラム寿命値に達した場合（Ｓ１０８、Ｙｅｓ）、報知部５５によって感光ドラム２７が寿命であることを報知する（Ｓ１０９）。
【００４５】
＜作用効果＞
（１）このように、プリンタ１は、感光ドラム２７を有する画像形成部５と、感光ドラム２７の回転数をカウントするドラムカウンタ５０と、ドラムカウンタ５０がカウントした感光ドラム２７の回転数が感光ドラム寿命値に達した場合に、感光ドラム２７が寿命であると判定する寿命判定手段５２と、画像形成部によって形成された画像の平均印字率を判定する印字率判定手段５４と、を備える。また、平均印字率が所定の閾値（例えば、５％）より小さい場合の感光ドラム寿命値は、平均印字率が閾値（例えば、５％）より大きい場合の感光ドラム寿命値より小さい。
よって、感光ドラム２７の寿命を平均印字率によって変更しているため、感光ドラム２７の回転数のみで寿命を判断する場合より正確に感光ドラム２７の寿命を判定することが出来る。
【００４６】
（２）寿命判定手段５２は、ドラムカウンタ５０がカウントした感光ドラム２７の回転数が、感光ドラム寿命値よりも小さい所定値（例えば、９６０００回）に達したか否かを判断し、感光ドラム２７の回転数が所定値（例えば、９６０００回）に達した際に、印字率判定手段５４が判定した平均印字率に応じて感光ドラム寿命値を設定する。
よって、感光ドラム２７の回転数が所定値に達するまで平均印字率を考慮する必要がない。
【００４７】
（３）トナー消費量を推定するトナー消費量推定手段５１を備え、印字率判定手段５４は、ドラムカウンタ５０が所定値をカウントしたときまでにトナー消費量推定手段５１が推定したトナー消費量によって、平均印字率を判定する。
よって、用紙毎に印字率を判定する必要がない。
【００４８】
（４）トナー消費量推定手段５１は、形成される画像のドット数をカウントするドットカウンタ５１であり、印字率判定手段５４は、ドラムカウンタ５０が所定値をカウントするまでにドットカウンタ５１がカウントした累積ドット数によって、平均印字率を判定する。
【００４９】
ドットカウンタ５１は、トナー消費に直結した情報なので、平均印字率を判定するものとして好適である。
【００５０】
＜実施例２＞
実施例２において、印字率判定手段５４は、現像カートリッジ２８が所定回数（例えば、４回）交換されたときまでに、ドラムカウンタ５０がカウントした感光ドラム２７の総回転数によって、平均印字率を求める。より具体的には、現像カートリッジ２８が所定回数（例えば、４回）交換されたときまでの全ての画像が、ベタ印字である場合を印字率１００％し、このときの感光ドラム２７の回転数３６００回を基準に平均印字率を求める。例えば、ドラムカウンタ５０がカウントした感光ドラム２７の総回転数が７２０００回の場合、平均印字率５％となる。
【００５１】
次に、感光ドラム２７の寿命判定の制御について、図５のフローチャートを用いて説明する。
【００５２】
プリンタ１は、パソコンから印字ジョブを受信すると、印字を開始する（Ｓ２０１）。次に、寿命判定手段５２は、現像カートリッジ２８の交換回数が所定回数（例えば、４回）に達したか否か判断する（Ｓ２０２）。そして、現像カートリッジ２８の交換回数が所定回数に達していない場合（Ｓ２０２、Ｎｏ）、Ｓ２０１に戻り、印字を続ける。また、現像カートリッジ２８の交換回数が所定回数に達した場合（Ｓ２０２、Ｙｅｓ）、印字率判定手段５４は、平均印字率を判定する（Ｓ２０３）。次に、Ｓ２０３で計算した平均印字率が閾値（例えば、５％）以上であるか否かを判定する（Ｓ２０４）。そして、平均印字率が閾値（例えば、５％）以上である場合、寿命値判定手段５２は、第１の回転数（例えば、１２００００回）を感光ドラム寿命値に設定する。また、平均印字率が閾値（例えば、５％）より小さい場合、寿命値判定手段５２は、第２の回転数（例えば、１０８０００回）を感光ドラム寿命値に設定する。そして、再び、印字を続ける（Ｓ２０７）。次に、寿命判定手段５２は、ドラムカウンタ５０に記録された感光ドラム２７の総回転数が、Ｓ２０５、Ｓ２０６において設定された感光ドラム寿命値に達したか否か判断する（Ｓ２０８）。そして、感光ドラム２７の総回転数が感光ドラム寿命値に達していない場合（Ｓ２０８、Ｎｏ）、Ｓ２０７に戻り、印字を続ける。また、感光ドラム２７の総回転数が感光ドラム寿命値に達した場合（Ｓ２０８、Ｙｅｓ）、報知部５５によって感光ドラム２７が寿命であることを報知する（Ｓ２０９）。
【００５３】
このように、印字率判定手段５４は、現像カートリッジ２８を所定回数（例えば、４回）交換したときまでにドラムカウンタ５０がカウントした回転数によって、平均印字率を判定する。
よって、平均印字率を判定するための構成を別に設ける必要がない。
【００５４】
＜実施例３＞
上記実施例では、感光ドラム寿命値に、ドラムカウンタ５０がカウントした感光ドラム２７の回転数を用いたが、実施例３では、ページカウンタがカウントした印字枚数を用いる。
【００５５】
ページカウンタは、画像形成された用紙の枚数をカウントする。ページカウンタは、ドラムカートリッジ３９を交換したときからの画像形成された用紙の枚数をカウントして積算する。ページカウンタは、カウントした枚数を寿命判定手段５２および印字率判定手段５４に出力する。
【００５６】
また、寿命判定手段５２は、ページカウンタのカウントした枚数が、所定値（例えば、８０００枚）に達したか判断する。そして、寿命判定手段５２が、ページカウンタのカウントした枚数が所定値（例えば、８０００枚）に達したと判断した際に、印字率判定手段５４は、ドットカウンタ５１がカウントした累積ドットカウント数によって、平均印字率を求める。そして、平均印字率が閾値（例えば、５％）より大きい場合の感光ドラム寿命値を第１の枚数とし、平均印字率が閾値（例えば５％）より小さい場合の感光ドラム寿命値を第２の枚数とすると、第１の枚数は、第２の枚数よりも大きく設定される。より具体的には、第１の枚数を１００００枚とし、第２の枚数を９０００枚とする。そして、寿命判定手段５２により、感光ドラム寿命値が第２の枚数（例えば、９０００枚）に設定された場合、ページカウンタが９０００枚をカウントした時点で、感光ドラム２７が寿命であると判定する。そして、感光ドラム２７が寿命であるという旨を報知部５５に出力する。
尚、具体的な制御の流れは、実施例１と同様であるので、詳細な説明は省略する。
【００５７】
＜変形例＞
本実施例では、感光ドラム寿命値を、平均印字率が閾値（５％）以上であるか否かで、第１の回転数と、第２の回転数とに設定したが、３つ以上の回転数を設定してもよい。具体的には、平均印字率が１０％以上の場合、５％から１０％の場合、５％以下の場合の３通りに分けて、平均印字率が高い方の感光ドラム寿命値が大きくなるように設定する。
【符号の説明】
【００５８】
１    プリンタ
１７  プロセスカートリッジ
２８  現像カートリッジ
３９  ドラムカートリッジ
５０  ドラムカウンタ
５１  ドットカウンタ
５２  寿命判定手段
５４  印字率判定手段
【図１】
2013050601.tif 000003
【図２】
2013050601.tif 000004
【図３】
2013050601.tif 000005
【図４】
2013050601.tif 000006
【図５】
2013050601.tif 000007